(57)【要約】      （修正有）【課題】デザイン性と機能性を種々変更でき、全体の雰囲気が意外性、野性的であり、側面を梯子型フレーム骨格体にして、中心部に木製収納箱部品を配置したスチール製側面体を持つ複合箱状家具を提供する。【解決手段】強度を持たせてコンパクトにした箱型状家具において、両側面にスチール製梯子型側面骨格フレーム体２と、中心部に木製の棚板、箱状棚、引出し付テレビボード台、カウンター台、引き出付、又は開き戸付、又は引き戸付収納箱体から選ばれた木製家具部品とからなる食器棚、テレビボード、本棚箱、デスク、チェスト、洋服箪笥の家具であって、スチール製梯子型側面骨格フレーム体と木製家具部品とをボルト・ナットによって接着し、組み立て、取り外し、模様替えを簡単に行えるようにした。【選択図】図１
0003218753.tif 000002
【実用新案登録請求の範囲】
【請求項１】
強度を持たせてコンパクトにした箱型状家具において、両側面にスチール製梯子型側面骨格フレーム体と、中心部に木製の棚板、箱状棚、引出し付テレビボード台、カウンター台、引き出付、又は開き戸付、又は引き戸付収納箱体から選ばれた木製家具部品とから組み立てられた食器棚、又はテレビボード、又は本棚箱、又はデスク、又はチェスト、又は洋服箪笥の家具であって、前記スチール製梯子型側面骨格フレーム体と前記木製家具部品とをボルト・ナットによって締着されて、簡単に組み立て、取り外し、模様替えが行えるようになっていることを特徴とするスチール製側面フレーム体を持つ複合箱状家具。
【請求項２】
両側面に係着されるスチール製梯子型側面骨格フレーム体は、高さ８００〜２１００ｍｍ、幅２６０〜３５０ｍｍの梯子型長方体形状であって、周囲を４０ｍｍ幅の角パイプにて骨格フレームを製作して、前記梯子型長方体形状は、強度と変形の維持のために３００〜４００ｍｍの間隔に２０ｍｍ幅の桟丸パイプを係合し、下部に安定性を維持させるために角パイプ出張り部を５０〜１００ｍｍの長さに延しており、各前記木製家具部品をボルト・ナットによって固定するために、両主側面角パイプには５〜７ｍｍφの嵌合口である穴部を３０〜７０ｍｍの間隔で穿孔されていることを特徴とする請求項１に記載のスチール製側面体を持つ複合箱状家具。
【請求項３】
前記木製家具部品は、中心部に長さ６００〜１６００ｍｍ、奥行き３５０〜４８０ｍｍの木製の棚板、箱状棚、引出し付テレビボード台、カウンター台、引き出付収納箱体、又は開き戸付収納箱体、又は引き戸付収納箱体、又は引き出と開き戸付収納箱体、又は引き戸と引き出付収納箱体である木製家具部品であり、食器棚、テレビボード、本棚箱、デスク、チェスト、洋服箪笥の家具に合わせて、前記木製家具部品を選択して、前記スチール製梯子型側面骨格フレーム体に所望に沿って螺着していることを特徴とする請求項１、又は請求項２に記載のスチール製側面体を持つ複合箱状家具。
【請求項４】
前記木製家具部品は、材料として無垢材、ＭＤＦ，パーチクルボード、合板、フラッシュボードから選ばれたもので、側面板では幅２２０〜２８０ｍｍの幅間隔で、横一列に５〜１０ｍｍφの２個穴部を穿孔されて、前記穿孔された２個の穴部を縦側列に１８０〜５４０ｍｍの間隔で穿設して、長さ３０〜５０ｍｍ、径５〜８ｍｍφのボルト・ナットを、前記木製家具部品の嵌合口穴部と前記スチール製梯子型側面骨格フレーム体の嵌合口の穴部を合わせて螺着して、前記木製家具部品を前記スチール製梯子型側面骨格フレーム体に固着させることによって、所望の家具に仕上げていることを特徴とする請求項１〜請求項３のいずれかに記載のスチール製側面体を持つ複合箱状家具。
【考案の詳細な説明】
【技術分野】
【０００１】本考案はスチ−ル製側面骨格フレームをもつ木製箱物家具であるが、中心部に木製箱物群を配して自由に取り付け、所望の家具に変更できることができるスチール製側面体を持つ複合箱状家具に関するものである。
【背景技術】
【０００２】従来、家具においては、すべて木材、あるいはスチールを使用した家具であった。この場合にはデザイン性、又は機能性を重視して製作されており、使用の途中において、デザイン性と機能性を同時に持たせる、あるいは家具の趣を変更させることは難しかった。金属と木材を同時に使用して、デザイン性と機能性を種々変更できることが望まれるようになっている。現在はそのような家具の存在は少ないのが現状である。【０００３】金属と木材を使用した家具に関して、枠組みのための金属材その他の硬質部材の適所に適当な形状や数の嵌合口を設け、所望形状や長さに成る竹材又は粘着性ある木材を蒸気に当てて蒸し、これにより軟化した部分を適度に曲折し、しかる後にこの竹材又は木材の両端部を前記枠組み硬質部材の嵌合口に当接するとともに軟化曲折部分を押下伸長して嵌合せしめ、嵌合後は放置して成る家具の製造法が提案されている（特許文献１参照）。【０００４】天板、底板、左右両側板、背板を有する容器、家具類等の箱体において、前記両側板を木製とし、かつ、少なくとも背板を金属製とした容器、家具類等の箱体が提案されている（特許文献２参照）。【０００５】又重量物積載可能組立式棚様家具は、木製の平板の両端の２箇所に埋め込み式樹脂製嵌め込み接続具を取り付けた平板を使用した木製平面状棚板、又は木製箱体と、両端部２箇所にフック掛け穴部を所定間隔で連続的に並設されている樹脂板を埋め込んだ２枚の側板支柱と、埋め込み式嵌め込み接続具と接合できるコの字状フックと嵌め込み部の付いた金属製固定金具とからなる（特許文献３参照）。【０００６】椅子の座面すべてを使用可能とすると共に、特にテーブル本体中央部でのテーブル強度を強化した折り畳み自在な野外テーブルを提供することに、内部に椅子を折り畳んで収納を可能とする一対のケース状のテーブル板の一側縁を開閉自在に連結したテーブル本体と、脚部を折り畳み自在とした椅子とを連結部材を介して連結してなる折り畳み自在な野外テーブルにおいて、テーブル本体と椅子とを連結する連結部材の一端を座面のテーブル側に近接する部分に設けられた連結部に連結し、椅子の座面全体を利用可能としたものが提案されている（特許文献４参照）。【０００７】上記の問題点は、家具においてスチール製と木材によって装飾性を高めるために、外見上解決するように見えるが、中心部に天然的、自然的に加工された木製箱収納箱体にして、スチール製と木製製での家具にしたデザイン性を持つ機能性家具に仕上げたものは存在していない。
【先行技術文献】
【特許文献】
【０００８】
【特許文献１】特開平２−６０７０８号公報
【特許文献２】実全昭５６−０５３９４７５号公報
【特許文献３】実用新案登録第３１９８３６０号公報
【特許文献４】特開２００２−２５３３４７号公報
【考案の概要】
【考案が解決しようとする課題】
【０００９】従来、家庭、事務所での家具は、すべて木材で、あるいはスチールで製作した家具であった。この場合には設置場所によるが家庭ではデザイン性、又は機能性を重視して製作されており、購入して使用の途中においては、デザイン性と機能性を同時に持たせること、あるいは家具の趣を変更させることは難しかった。材料として金属と木材を同時に使用して、部屋の状況に合わせてデザイン性と機能性を種々変更できることが望まれるようになっている。【００１０】本考案は上記のような点に鑑み、室内で機能的、意匠的感覚をもたらせるスチールを部分的に持つ家具を検討されているが、利用便利な箱物家具で価格、耐久性などで問題を生じていた。側面をスチールの梯子型のフレームにして中心部を木製の箱物収納容器にして、意匠性を持つ機能性家具が期待されている。また側面にスチールフレームを使用して、中心部に収納容器を種々変更して使用できるスチール製側面体を持つ複合箱状家具を提供することも課題になっている。【００１１】上記の問題点は、家具にスチールと木材を調和良く配置して、家具の装飾性、意外性を高めるために、外見上解決するように見えるが、家具の収納状態の変更によって天然的、自然的、野性的に細工されたものにして、家具の部分にスチールを配置して、模様を種々変更の形状にした箱物収納家具に仕上げることである。これによって今までにないオンリーワンの家具として意匠的、機能的に満足できる家具の提案が望まれている。
【課題を解決するための手段】
【００１２】強度を持たせてコンパクトにした箱型状家具において、両側面にスチール製梯子型側面骨格フレーム体と、中心部に木製の棚板、箱状棚、引出し付テレビボード台、カウンター台、引き出付、又は開き戸付、又は引き戸付収納箱体から選ばれた木製家具部品とから組み立てられた食器棚、テレビボード、本棚箱、デスク、チェスト、洋服箪笥の家具であって、前記スチール製梯子型側面骨格フレーム体と前記木製家具部品とをボルト・ナットによって締着されて、簡単に組み立て、取り外し、模様替えが行えるようになっているスチール製側面フレーム体を持つ複合箱状家具である。【００１３】両側面に係着されるスチール製梯子型側面骨格フレーム体は、高さ８００〜２１００ｍｍ、幅２６０〜３５０ｍｍの梯子型長方体形状であって、周囲を４０ｍｍ幅の角パイプにて骨格フレームを製作して、前記梯子型長方体形状は、強度と変形の維持のために３００〜４００ｍｍの間隔に２０ｍｍ幅の桟丸パイプを係合し、下部に安定性を維持させるために角パイプ出張り部を５０〜１００ｍｍの長さに延しており、各前記木製家具部品をボルト・ナットによって固定するために、両主側面角パイプには５〜８ｍｍφの嵌合口である穴部を３０〜７０ｍｍの間隔で穿孔されている。【００１４】前記木製家具部品は、中心部に長さ６００〜１６００ｍｍ、奥行き３５０〜４８０ｍｍの木製の棚板、箱状棚、引出し付テレビボード台、カウンター台、引き出付収納箱体、又は開き戸付収納箱体、又は引き戸付収納箱体、又は引き出と開き戸付収納箱体、又は引き戸と引き出付収納箱体である木製家具部品であり、食器棚、テレビボード、本棚箱、デスク、チェスト、洋服箪笥の家具に合わせて、前記木製家具部品を選択して、前記スチール製梯子型側面骨格フレーム体に所望に沿って螺着している。【００１５】前記木製家具部品は、材料として無垢材、ＭＤＦ，パーチクルボード、合板、フラッシュボードから選ばれたもので、側面板では幅２２０〜２８０ｍｍの幅間隔で、横一列に５〜８ｍｍφの２個穴部を穿孔されて、前記穿孔された２個の穴部を縦側列に６０〜１８０ｍｍの間隔で穿設して、長さ３０〜５０ｍｍ、径５〜８ｍｍφのボルト・ナットを、前記木製家具部品の嵌合口穴部と前記スチール製梯子型側面骨格フレーム体の嵌合口の穴部を合わせて螺着して、前記木製家具部品を前記スチール製梯子型側面骨格フレーム体に固着させることによって、所望の家具に仕上げている。
【考案の効果】
【００１６】一般に室内の配置する家具を、室内の装飾性、デザイン性、異色性の感覚をもたらせるリビングの家具としたスチールを部分的に配置して機能性とデザイン性を持たせた特徴をもたらせることによって、リビング、キッチンなどの部屋の意匠性と機能性が大きく変わり、部屋の雰囲気的感覚を変えて気分的に良好的な状態をもたらせる。とくに室内でスチール製側面体を持つ複合木製箱状家具を使用することによって、収納家具の意匠性、機能性、意外性を大きく変えることができる。【００１７】家具の側面にスチール製梯子型側面骨格フレーム体を使用することによって装飾性、意外性を高めるために、引き出付収納箱体である木製家具部品であり、食器棚、テレビボード、本棚箱、デスク、チェスト、洋服箪笥の家具を外見上で意匠性、機能性、意外性で解決している。側面をスチールでの変更によって意外的、野性的になり、中心部の木製家具部品を種々取り変えた形態で変更された家具によって、部屋内の心身とものリラックス性を大きく変えて、自然体できる姿勢をもたらせる。
【図面の簡単な説明】
【００１８】
【図１】スチール製側面体を持つ複合箱状家具（食器棚）の斜視図
【図２】スチール製側面体を持つ複合箱状家具（食器棚）を部品組み立て前の斜視図
【図３】スチール製側面体を持つ複合箱状家具におけるスチール製梯子型側面骨格フレーム体の状態斜視図  Ａ：斜視方向  Ｂ：正面方向  Ｃ：ボルト・ナット
【図４】スチール製梯子型側面骨格フレーム体における種々木製家具部品の状態図  Ａ：引き戸付収納箱体、Ｂ：棚板、Ｃ：開き戸・引出し付収納箱体、Ｄ：カウンター台、Ｅ：引き出付デスク体、
【図５】スチール製梯子型側面骨格フレーム体で本棚付デスクの完成家具類の図  Ａ：組み立て前  Ｂ：組み立て後
【図６】スチール製梯子型側面骨格フレーム体でマルチボード完成家具類の図  Ａ：組み立て前  Ｂ：組み立て後
【図７】スチール製梯子型側面骨格フレーム体で食器棚の完成家具類の図  Ａ：組み立て前  Ｂ：組み立て後
【図８】スチール製梯子型側面骨格フレーム体でテレビボード完成家具類の図  Ａ：組み立て前  Ｂ：組み立て後
【考案を実施するための形態】
【００１９】本考案のスチール製側面体を持つ複合箱状家具の実施例について、図に拠り説明する。図１は本考案のスチール製側面体を持つ食器棚の複合箱状家具の一例を示し、図２はスチール製側面体を持つ食器棚の複合箱状家具の一例を示す、もので、図３はスチール製梯子型側面骨格フレーム体を持つ機能性テーブルの斜視図、図４は、種々木製家具部品を持つ機能性テーブルの状態の図である。
【実施例１】
【００２０】図１に示すように強度を持たせてコンパクトにした食器棚の箱型状家具において、両側面に図３に示すようなスチール製梯子型側面骨格フレーム体と、中心部に棚板、引き出付収納箱体、又は開き戸付と引き戸付収納箱体の木製家具部品からなる食器棚であって、図２に示すよう前記スチール製梯子型側面骨格フレーム体と前記木製家具部品とをボルト・ナットによってスチール製側面フレーム体を持つ食器棚の複合箱状家具であった。【００２１】図３Ａ，Ｂに示すように両側面にスチール製梯子型側面骨格フレーム体は、長さ１９６０ｍｍ、幅３２０ｍｍの梯子型長方体形状であって、周囲を４０ｍｍ幅の角パイプにて骨格フレームを製作して、梯子型長方体形状は、強度と変形維持のために３００ｍｍの間隔に２０ｍｍ径の桟丸パイプを接合して、各前記木製家具部品を図３Ｃで示す６ｍｍφ径のボルト・ナットによって固定するために、両主側面角パイプには６ｍｍφの嵌合口である穴部を６０ｍｍの間隔で穿孔された。【００２２】前記木製家具部品は、中心部に長さ１２００ｍｍ、奥行き４１０ｍｍの木製の棚板、又は引き戸付収納箱体、又は引き出と開き戸付収納箱体である木製家具部品であり、食器棚家具に合わせて、図２に示すように前記木製家具部品を選択して、前記スチール製梯子型側面骨格フレーム体に所望に沿って嵌合口にボルト・ナットによって螺着した。【００２３】図４に示すような前記木製家具部品は、材料としてＭＤＦ，パーチクルボードから選ばれたもので、側面板では幅２８０ｍｍの幅間隔で、横一列に１０ｍｍφの２個穴部を穿孔されて、前記穿孔された２個の穴部を縦側列に３００〜５４０ｍｍの間隔で穿設して、長さ４０ｍｍ、径６ｍｍφのボルト・ナットを、前記木製家具部品の嵌合口穴部と前記スチール製梯子型側面骨格フレーム体の嵌合口の穴部を合わせて螺着して、前記木製家具部品を前記スチール製梯子型側面骨格フレーム体に固着させることによって、図１に示すように所望の家具に仕上げた。
【実施例２】
【００２４】図５のＢに示すように、デスクである家具において、両側面に図３のスチール製梯子型側面骨格フレーム体と、中心部に図４の木製の棚板、カウンター棚、引き出付デスク台の木製家具部品から選ばれたデスクの家具であって、前記スチール製梯子型側面骨格フレーム体と前記木製家具部品とをボルト・ナットによって嵌着されて、組み立て、取り外し、模様替えを簡単に行えるスチール製側面フレーム体を持つデスク型複合箱状家具であった。【００２５】実施例１と同様に、両側面にスチール製梯子型側面骨格フレーム体は、長さ１９６０ｍｍ、幅３２０ｍｍ、の梯子型長方体形状であって、周囲を４０ｍｍ幅の角パイプにて骨格フレームを製作して、梯子型長方体形状は、強度と変形維持のために３００〜４００ｍｍの間隔に２０ｍｍ幅の桟丸パイプを接合しており、各前記木製家具部品をボルト・ナットによって固定するために、両主側面角パイプには７ｍｍφの嵌合口である穴部を６０ｍｍの間隔で穿孔された。【００２６】前記木製家具部品は、中心部に長さ８００ｍｍ、奥行き３５０ｍｍの木製の棚板、引き出付デスク台である木製家具部品であり、デスク家具に合わせて、前記木製家具部品を選択して、前記スチール製梯子型側面骨格フレーム体に所望に沿って螺着した。【００２７】前記木製家具部品は、材料としてＭＤＦとパーチクルボードから選ばれたもので、側面板では幅２８０ｍｍの幅間隔で、横一列に１０ｍｍφの２個穴部を穿孔されて、前記穿孔された２個の穴部を縦側列に３００〜５４０ｍｍの間隔で穿設して、長さ４０ｍｍ、径６ｍｍφのボルト・ナットを、前記木製家具部品の嵌合口穴部と前記スチール製梯子型側面骨格フレーム体の嵌合口の穴部を合わせて螺着して、前記木製家具部品を前記スチール製梯子型側面骨格フレーム体に固着させることによって、所望の家具に仕上げた。
【実施例３】
【００２８】図８に示すようにテレビボード箱型状家具において、両側面にスチール製梯子型側面骨格フレーム体と、中心部に木製の棚板、箱状棚、引出し付テレビボード台、の木製家具部品から選ばれたテレビボードの家具であって、前記スチール製梯子型側面骨格フレーム体と前記木製家具部品とをボルト・ナットによって接着されて、組み立て、取り外し、模様替えを簡単に行えるスチール製側面フレーム体を持つ複合箱状家具であった。【００２９】実施例１と同様に、両側面にスチール製梯子型側面骨格フレーム体は、長さ１９６０ｍｍ、幅３２０ｍｍ、の梯子型長方体形状であって、周囲を４０ｍｍ幅の角パイプにて骨格フレームを製作して、梯子型長方体形状は、強度と変形維持のために３００ｍｍの間隔に２０ｍｍ幅の桟丸パイプ接を接合しており、各前記木製家具部品をボルト・ナットによって固定するために、両主側面角パイプには７ｍｍφの嵌合口である穴部を６０ｍｍの間隔で穿孔した。【００３０】前記木製家具部品は、中心部に長さ１６００ｍｍ、奥行き４５０ｍｍの木製の引出し付テレビボード台である木製家具部品であり、図８Ｂのテレビボード、の家具に合わせて、前記木製家具部品を選択して、前記スチール製梯子型側面骨格フレーム体に所望に沿って螺着した。【００３１】前記木製家具部品は、材料として無垢材、ＭＤＦから選ばれたもので、側面板では幅２８０ｍｍの幅間隔で、横一列に１０ｍｍφの２個穴部を穿孔されて、前記穿孔された２個の穴部を縦側列に１８０ｍｍの間隔で穿設して、長さ４０ｍｍ、径６ｍｍφのボルト・ナットを、前記木製家具部品の嵌合口穴部と前記スチール製梯子型側面骨格フレーム体の嵌合口の穴部を合わせて螺着して、前記木製家具部品を前記スチール製梯子型側面骨格フレーム体に固着させることによって、所望の家具に仕上げた。
【実施例４】
【００３２】実施例１と同様に  図７に示すように強度を持たせた食器棚の箱型状家具において、両側面に図３に示すようなスチール製梯子型側面骨格フレーム体と、中心部に棚板、引き出付収納箱体、又は開き戸付と引き戸付収納箱体の木製家具部品からなる食器棚であって、図２に示すよう前記スチール製梯子型側面骨格フレーム体と前記木製家具部品とをボルト・ナットによってスチール製側面フレーム体を持つ食器棚の複合箱状家具であった。【００３３】前記木製家具部品は、中心部に長さ１１９０ｍｍ、奥行き３５０〜４８０ｍｍの木製の棚板、又は引き戸付収納箱体、又は引き出と開き戸付収納箱体である木製家具部品であり、食器棚家具に合わせて、図７に示すように前記木製家具部品を選択して、前記スチール製梯子型側面骨格フレーム体に所望に沿って嵌合口にボルト・ナットによって螺着した。製品は図７Ｂのようになった。
【符号の説明】
【００３４】１．スチール製側面フレーム体を持つ複合箱状家具
２．スチール製梯子型側面骨格フレーム体
３．木製家具部品
４．棚板
５．箱状棚
６．引出し付テレビボード台
７．引き出付収納箱体
８．開き戸付収納箱体
９．引き戸付収納体
１０．デスク台
１１．ボルト・ナット
１２．嵌合口
１３．穴部
１４．出張り部
１５．食器棚
１６．本棚箱
１７．デスク
１８．テレビボード
１９．マルチボード
【図１】
0003218753.tif 000003
【図２】
0003218753.tif 000004
【図３】
0003218753.tif 000005
【図４】
0003218753.tif 000006
【図５】
0003218753.tif 000007
【図６】
0003218753.tif 000008
【図７】
0003218753.tif 000009
【図８】
0003218753.tif 000010